【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
印刷データに基づいて印刷を行うネットワークプリンタと、前記ネットワークプリンタを利用するプリンタ利用端末と、プリンタ管理サーバとを通信可能に接続したシステムであって、 
前記ネットワークプリンタは、前記プリンタ管理サーバから前記印刷データが記憶された前記プリンタ利用端末の位置情報を取得する位置情報取得手段と、前記印刷データの利用適格を証明する証明情報を読み込む証明情報読込手段と、前記プリンタ利用端末から前記印刷データを取得して印刷を行う認証印刷手段とを有し、 
前記認証印刷手段は、前記証明情報読込手段で読み込んだ証明情報を取得要求とともに前記印刷データが保存されているプリンタ利用端末に送信し、当該印刷データを受信したときは、受信した印刷データに基づいて印刷を行うようになっており、 
前記プリンタ利用端末は、前記印刷データを記憶する印刷データ記憶手段と、前記印刷データの位置情報を前記プリンタ管理サーバに通知する位置情報通知手段と、前記印刷データの利用適格を認証する認証情報を記憶するための認証情報記憶手段と、前記印刷データの利用適格を認証する利用適格認証手段とを有し、 
前記利用適格認証手段は、前記取得要求とともに前記証明情報を受信したときは、受信した証明情報及び前記認証情報記憶手段の認証情報に基づいて前記印刷データの利用適格があるか否かを判定し、前記印刷データの利用適格があると判定したときは、前記印刷データ記憶手段の印刷データを前記ネットワークプリンタに送信するようになっており、
前記プリンタ管理サーバは、印刷データが記憶された前記プリンタ利用端末の位置情報を登録する位置情報登録手段を有していることを特徴とする認証印刷システム。
【請求項２】
印刷データに基づいて印刷を行うネットワークプリンタと、前記ネットワークプリンタを利用するプリンタ利用端末と、プリンタ管理サーバとを通信可能に接続したシステムであって、 
前記ネットワークプリンタは、前記プリンタ管理サーバから前記印刷データが記憶された前記プリンタ利用端末の位置情報を取得する位置情報取得手段と、前記印刷データの利用適格を証明する証明情報を読み込む証明情報読込手段と、前記プリンタ利用端末から前記印刷データを取得して印刷を行う認証印刷手段とを有し、 
前記認証印刷手段は、前記証明情報読込手段で読み込んだ証明情報を取得要求とともに前記プリンタ管理サーバに送信し、前記プリンタ利用端末から前記印刷データを受信したときは、受信した印刷データに基づいて印刷を行うようになっており、 
前記プリンタ利用端末は、前記印刷データを記憶する印刷データ記憶手段と、前記印刷データの位置情報を前記プリンタ管理サーバに通知する位置情報通知手段と、前記印刷データの利用適格を認証する認証情報を前記プリンタ管理サーバに通知する認証情報通知手段と、前記プリンタ管理サーバから送信指示があったときに前記印刷データを前記ネットワークプリンタに送信する印刷データ送信手段とを有し、 
前記プリンタ管理サーバは、前記印刷データが記憶された前記プリンタ利用端末の位置情報を登録する位置情報登録手段と、前記印刷データの利用適格を認証する認証情報を記憶するための認証情報記憶手段と、前記印刷データの利用適格を認証する利用適格認証手段とを有し、 
前記利用適格認証手段は、前記取得要求とともに前記証明情報を受信したときは、受信した証明情報及び前記認証情報記憶手段の認証情報に基づいて前記印刷データの利用適格があるか否かを判定し、前記印刷データの利用適格があると判定したときは、前記プリンタ利用端末の印刷データ送信手段に前記印刷データ記憶手段に記憶された印刷データを前記ネットワークプリンタに送信する指示を行うようになっていることを特徴とする認証印刷システム。 
【請求項３】
請求項１または２に記載の認証印刷システムにおけるプリンタ利用端末と通信可能に接続するネットワークプリンタであって、 
前記プリンタ利用端末に対して出力の制限を要求する出力制限要求手段を備え、 
前記出力制限要求手段は、当該ネットワークプリンタで印刷を行うときは、前記プリンタ利用端末に出力制限要求を送信するようになっていることを特徴とするネットワークプリンタ。 
【請求項４】
プリンタ管理サーバと、プリンタ利用端末とに通信可能に接続されるネットワークプリンタであって、
前記プリンタ管理サーバから前記印刷データが記憶された前記プリンタ利用端末の位置情報を取得する位置情報取得手段と、前記印刷データの利用適格を証明する証明情報を読み込む証明情報読込手段と、前記プリンタ利用端末から前記印刷データを取得して印刷を行う認証印刷手段とを備え、 
前記認証印刷手段は、前記証明情報読込手段で読み込んだ証明情報を前記印刷データの取得要求とともに前記印刷データが保存されているプリンタ利用端末に送信し、当該印刷データを受信したときは、受信した印刷データに基づいて印刷を行うようになっていることを特徴とするネットワークプリンタ。
【請求項５】
請求項４において、 
プリンタ利用端末が接続されているときは、当該プリンタ利用端末に前記印刷データの出力制限を要求する送信を行う出力制限要求手段を有することを特徴とするネットワークプリンタ。 
【請求項６】
請求項５において、 
前記出力制限要求手段は、認証用記憶媒体が与えられたときに、前記プリンタ利用端末に前記出力制限要求を送信するようになっていることを特徴とするネットワークプリンタ。 
【請求項７】
請求項５において、 
前記出力制限要求手段は、前記取得要求の送信とともに前記出力制限要求を前記プリンタ利用端末に送信するようになっていることを特徴とするネットワークプリンタ。
【請求項８】
プリンタ管理サーバと、ネットワークプリンタとに通信可能に接続されるプリンタ利用端末であって、
前記印刷データを記憶する印刷データ記憶手段と、前記印刷データの位置情報を前記プリンタ管理サーバに通知する位置情報通知手段と、前記印刷データの利用適格を認証する認証情報を記憶するための認証情報記憶手段と、前記印刷データの利用適格を認証する利用適格認証手段とを有し、 
前記利用適格認証手段は、前記ネットワークプリンタから印刷データの取得要求とともに証明情報を受信したときは、受信した証明情報及び前記認証情報記憶手段の認証情報に基づいて前記印刷データの利用適格があるか否かを判定し、前記印刷データの利用適格があると判定したときは、前記印刷データ記憶手段の印刷データを前記ネットワークプリンタに送信するようになっていることを特徴とするプリンタ利用端末。
【請求項９】
請求項８において、 
前記印刷データの出力を制限する出力制限手段を備え、 
前記出力制限手段は、前記ネットワークプリンタで印刷を行うときは、当該印刷以外の用途で前記印刷データの内容が出力されないように出力を制限するようになっていることを特徴とするプリンタ利用端末。 
【請求項１０】
請求項８において、 
前記印刷データの出力を制限する出力制限手段を備え、 
前記出力制限手段は、前記ネットワークプリンタから出力制限要求を受信したときは、受信した出力制限要求に係る印刷以外の用途で前記印刷データの内容が出力されないように出力を制限するようになっていることを特徴とするプリンタ利用端末。 
【請求項１１】
請求項８において、 
前記印刷データの出力を制限する出力制限手段を備え、 
前記出力制限手段は、印刷要求を入力したときは、表示を制限するようになっていることを特徴とするプリンタ利用端末。 
【請求項１２】
請求項８において、 
前記印刷データの出力を制限する出力制限手段を備え、 
前記出力制限手段は、前記プリンタ利用端末から前記認証用記憶媒体が取り外されたときは、表示を制限するようになっていることを特徴とするプリンタ利用端末。 
【請求項１３】
請求項８〜１２のいずれか１項において、 
前記証明情報を生成する証明情報生成手段と、前記証明情報生成手段で生成した証明情報を前記認証用記憶媒体に書き込む証明情報書込手段とを有することを特徴とするプリンタ利用端末。 
【請求項１４】
プリンタ管理サーバと、プリンタ利用端末とに通信可能に接続されるネットワークプリンタで用いられるプログラムであって、
前記ネットワークプリンタのコンピュータを、
前記プリンタ管理サーバから前記印刷データが記憶された前記プリンタ利用端末の位置情報を取得する位置情報取得手段と、与えられた認証用記憶媒体から印刷データの利用適格を証明するための証明情報を読み出す証明情報読込手段、及び前記プリンタ利用端末から前記印刷データを取得して印刷を行う認証印刷手段として機能させると共に、 
前記認証印刷手段は、前記証明情報読込手段で読み込んだ証明情報を前記印刷データの取得要求とともに前記印刷データが保存されているプリンタ利用端末に送信し、前記印刷データを受信したときは、受信した印刷データに基づいて印刷を行うようになっていることを特徴とするプリンタ用プログラム。
【請求項１５】
プリンタ管理サーバと、ネットワークプリンタとに通信可能に接続するプリンタ利用端末で用いられるプログラムであって、 
前記プリンタ利用端末のコンピュータを、 
印刷データを記憶する印刷データ記憶手段と、前記印刷データの位置情報を前記プリンタ管理サーバに通知する位置情報通知手段と、前記印刷データの利用適格を認証する認証情報を記憶するための認証情報記憶手段と、前記印刷データの利用適格を認証する利用適格認証手段として機能させると共に、 
前記利用適格認証手段は、前記ネットワークプリンタから印刷データの取得要求とともに証明情報を受信したときは、受信した証明情報及び前記認証情報記憶手段の認証情報に基づいて前記印刷データの利用適格があるか否かを判定し、前記印刷データの利用適格があると判定したときは、前記印刷データ記憶手段の印刷データを前記ネットワークプリンタに送信させるようになっていることを特徴とするプリンタ利用端末用プログラム。 
【請求項１６】
印刷データに基づいて印刷を行うネットワークプリンタと通信可能に接続するプリンタ利用端末の出力を制限する方法であって、 
前記プリンタ利用端末の出力を制限する出力制限ステップを含み、 
前記出力制限ステップは、前記ネットワークプリンタで印刷を行うときは、当該印刷以外の用途で前記印刷データの内容が出力されないように前記プリンタ利用端末の出力を制限することを特徴とするプリンタ利用端末の出力制限方法。 
【請求項１７】
印刷データに基づいて印刷を行うネットワークプリンタと通信可能に接続するプリンタ利用端末の出力を制限する方法であって、 
前記ネットワークプリンタに対しては、 
前記プリンタ利用端末に対して出力の制限を要求する出力制限要求ステップを含み、
前記出力制限要求ステップは、前記ネットワークプリンタで印刷を行うときは、前記プリンタ利用端末に出力制限要求を送信し、   
前記プリンタ利用端末に対しては、 
当該プリンタ利用端末の出力を制限する出力制限ステップを含み、
前記出力制限ステップは、前記出力制限要求を受信したときは、受信した出力制限要求に係る印刷以外の用途で前記印刷データの内容が出力されないように前記プリンタ利用端末の出力を制限することを特徴とするプリンタ利用端末の出力制限方法。
【手続補正２】
【補正対象書類名】明細書
【補正対象項目名】０００１
【補正方法】変更
【補正の内容】
【０００１】
本発明は、認証を得て印刷を行うシステム、プリンタ、端末及びプログラム、並びに方法に係り、特に、印刷データまたは印刷内容の機密を保護するのに好適な認証動作システム、認証印刷システム、ネットワークプリンタ、プリンタ利用端末、プリンタ用プログラム及び利用端末用プログラム、並びに認証印刷方法及びプリンタ利用端末の出力制限方法に関するものである。